(57)【特許請求の範囲】
【請求項１】
対向して配置されるとともに対向面に電極が形成された一対の基板を備える電気光学装置であって、
前記一対の基板の一方の基板には前記電極と導電接続された接続端子が対向面に形成され、
前記一対の基板の他方の基板には前記電極と導電接続された第１の外部端子と、異方性導電部材を介して前記接続端子と導通される第２の外部端子とが対向面に形成され、
前記第１および第２の外部端子と異方性導電部材を介して導電接続される外部基板とを備えると共に、
前記接続端子と前記第２の外部端子との間に介在される異方性導電部材と、前記第１および第２の外部端子と前記外部基板との間に介在される異方性導電部材は、一体に形成されていることを特徴とする電気光学装置。
【請求項２】
前記一方の基板と前記他方の基板は所定間隔を隔ててシール材によって貼り合わされ、前記シール材によって前記電極を囲む領域が形成されるとともに、該領域の外側に前記接続端子と前記第１の外部端子と前記第２の外部端子のそれぞれが配置され、前記異方性導電部材は前記接続端子と前記第１の外部端子と前記第２の外部端子を被覆していることを特徴とする請求項１に記載の電気光学装置。
【請求項３】
前記一方の基板と前記他方の基板は所定間隔を隔ててシール材によって貼り合わされ、前記シール材によって前記電極を囲む領域が形成されるとともに、前記異方性導電部材は前記領域を囲む前記シール材の一部を構成していることを特徴とする請求項１または請求項２に記載の電気光学装置。
【請求項４】
前記シール材の全領域が異方性導電部材で構成されていることを特徴とする請求項３記載の電気光学装置。
【請求項５】
請求項１乃至４のいずれか１項に記載の電気光学装置を搭載することを特徴とする電子機器。
【発明の詳細な説明】
【０００１】
【発明の属する技術分野】
本発明は、電気光学装置およびその装置を搭載する電子機器に関する。特に、対向配置される一対の基板を備える電気光学装置、およびその装置を搭載する電気機器に関する。
【０００２】
【従来の技術】
従来より、電気光学装置として多くの携帯情報機器や携帯電話等に用いられている、例えばパッシブマトリクス方式の液晶装置（以下、単に「液晶装置」と称す）が知られている。
【０００３】
図６は、従来の液晶装置１０の断面図を示す。液晶装置１０は、対向した２枚の光透過性基板１２および１４を備えている。一方の光透過性基板１２の対向面には、ＩＴＯ等の透明導電材料により、互いに平行に延在する複数のデータ線電極１６が形成されている。他方の光透過性基板１４の対向面には、透明導電材料により、互いに平行に延在する複数の走査線電極１８が形成されている。データ線電極１６の表面、および走査線電極１８の表面は、それぞれ、絶縁膜２０，２２および配向膜２４，２６が形成されて覆われている。
【０００４】
光透過性基板１２，１４は、データ線電極１６と走査線電極１８とが直交するように対向して配置され、シール材２８を介して貼り合わされる。その結果、２枚の基板１２，１４の間には、シール材３０によって囲まれた空間（セルギャップ）が形成される。配向膜２４，２６の間には、上記のセルギャップの間隔を均一とするために、ビーズ状のスペーサ（ギャップ材）３０が散布されている。シール材３０によって囲まれた空間には、液晶３２が注入され封止されている。
【０００５】
光透過性基板１４の端部には、複数の接続端子を含む接続端子群３４が形成されている。接続端子群３４に含まれる個々の接続端子は、ＩＴＯ等の透明導電材料により、複数の走査線電極１８のそれぞれと導通するように配線形成されている。
【０００６】
光透過性基板１２は対向する他方の光透過性基板１４より外側に張出した張出し部が形成され、張出し部の表面には外部端子群３６が形成されている。外部端子群３６には、ＩＴＯ等の透明導電材料で形成された複数の外部端子が含まれている。それらの外部端子には、データ線電極１６がそのまま延在形成されて導通されているもの、および異方性導電膜（上下導通材）３８を介して走査線電極１８に接続された接続端子群３４と導通するものが含まれている。外部端子群３６に含まれる全ての外部端子は、張出し部の端部において、異方性導電膜４０を介して外部基板４２の導電層４４に接続されている。上記の構造によれば、全ての走査線電極１８、および全てのデータ線電極１８に対して、外部基板４２から適当な信号を供給することができる。
【０００７】
従来の液晶装置１０において、接続端子群３４と外部端子群３６とを導通させるための異方性導電膜（上下導通材）３８と、外部端子群３６と外部基板４２とを導通させるための異方性導電膜４０とは、別体に設けられている。従って、それら２つの異方性導電膜３８および４０の間には、ある程度の間隔（表示に寄与しない額縁領域）が形成される。従来の液晶装置１０において、その間隔には、モールド材４６が埋め込まれている。このため、外部端子群３６や接続端子群３４が直接大気に晒されることはない。
【０００８】
【発明が解決しようとする課題】
しかしながら、接続端子群３４と外部端子群３６とを接続する異方性導電膜（上下導通材）３８は、光透過性基板１４の端部からある程度基板１４の内側に入り込んだ位置に形成されることがある。このため、従来の液晶装置１０においては、図６に示す如く、モールド材４６と異方性導電膜（上下導通材）３８との間に、空間（隙間）４８が残存することがある。
【０００９】
ＩＴＯ等の透明導電材料で構成される接続端子群３４、あるいは外部端子群３６がこのような空間（隙間）４８に露出している場合は、それらの端子に電食による腐食（コロージョン）が生じ電極間のショート、及びこれによる点灯不良が発生し易い。この点、従来の液晶装置１０の構造は、接続端子群３４や外部端子群３６の信頼性を確保するうえで必ずしも理想的な構造ではなかった。
【００１０】
更に、従来の液晶装置１０において、２つの異方性導電膜３８および４０の間に確保されている間隔（表示に寄与しない額縁領域）は、液晶装置の機能上要求されるものではなく、表示される領域が同じであってもこのような間隔（表示に寄与しない額縁領域）が存在するため、液晶装置の小型化を妨げるものであった。また更に、近年の市場の傾向から、液晶装置において最大限の表示領域を確保するとともに、電子機器の実機への組み込み（搭載）性の観点からこのような表示に寄与しない額縁領域を最小限に抑えたいとする要望が強い。
【００１１】
本発明は、上記の課題に鑑みてなされたもので、基板に形成される電極端子の電食を有効に防止し、かつ、液晶装置の小型化を促進し得る電気光学装置を提供することを目的とする。
【００１２】
【課題を解決するための手段】
（１）本発明は、対向して配置されるとともに対向面に電極が形成された一対の基板を備える電気光学装置であって、
前記一対の基板の一方の基板には前記電極と導電接続された接続端子が対向面に形成され、
前記一対の基板の他方の基板には前記電極と導電接続された第１の外部端子と、異方性導電部材を介して前記接続端子と導通される第２の外部端子とが対向面に形成され、
前記第１および第２の外部端子と異方性導電部材を介して導電接続される外部基板とを備えると共に、
前記接続端子と前記第２の外部端子との間に介在される異方性導電部材と、前記第１および第２の外部端子と前記外部基板との間に介在される異方性導電部材は、一体に形成されていることを特徴とする。
【００１３】
本発明のこのような構成によれば、異方性導電部材は、接続端子を備える基板からはみ出すように形成される。この場合、その基板の端面より内側に空間が残存することはなく、基板の端面付近に形成される接続端子の先端部を異方性導電部材で完全に覆うことができる。更に、上記の異方性導電部材によれば、外部端子のうち、接続端子との接続を得るための領域と、外部基板との接続を得るための領域とを完全に覆うことができる。従って、本発明によれば、接続端子および外部端子の電食を有効に防止することができる。
【００１４】
また、本発明においては、外部端子を接続端子に導通させる異方性導電部材と、外部端子を外部基板に導通させると異方性導電部材とが一体であるため、それら２つの導通を得るために必要な領域の間隔を必要最小限とすることができる。このため、本発明によれば、接続端子を備える基板と外部基板との間隔を十分に狭めて、装置の小型化を促進することができる。
【００１５】
（２）本発明は、前記一方の基板と前記他方の基板は所定間隔を隔ててシール材によって貼り合わされ、前記シール材によって前記電極を囲む領域が形成されるとともに、該領域の外側に前記接続端子と前記第１の外部端子と前記第２の外部端子のそれぞれが配置され、前記異方性導電部材は前記接続端子と前記第１の外部端子と前記第２の外部端子を被覆していることが望ましい。
【００１６】
このような構成によれば、一対の基板の間に密封された領域を形成することができると共に、シール材と異方性導電部材との間に空間が残存するのを防止することができる。従って、本発明によれば、シール材と異方性導電部材との間においても端子の電食を防止することができる。
【００１７】
（３）本発明は、前記一方の基板と前記他方の基板は所定間隔を隔ててシール材によって貼り合わされ、前記シール材によって前記電極を囲む領域が形成されるとともに、前記異方性導電部材は前記領域を囲む前記シール材の一部を構成していることが望ましい。
【００１８】
このような構成によれば、一対の基板の間に、異方性導電部材を利用して密封された領域を形成することができる。このような構成によれば、シール材と異方性導電部材との間に空間が存在し得ないため、良好な電食防止効果が得られる。
【００１９】
（４）本発明は、前記シール材の全領域が異方性導電部材で構成されていることが望ましい。
【００２０】
このような構成によれば、密封された領域を形成するためのシール材と、必要な導通を得るための異方性導電部材とを、同じ材料で一体に形成することができる。このような構成は、シール材が異方性導電部材と異なる材質で構成される場合に比して、容易に実現することができる。
【００２１】
（５）本発明に係る電気光学装置は、電子機器に搭載されることが望ましい。
【００２２】
電子機器の表示部を、本発明に係る電気光学装置で構成することによれば、その表示部に優れた信頼性が付与できると共に、電子機器の小型化が可能となる。
【００２３】
【発明の実施の形態】
以下、本発明の実施の形態を図面に基づいて説明する。
【００２４】
〔第１の実施形態〕
図１は、本発明の実施の形態１の電気光学装置が備える２枚の光透過性基板の平面図を示す。図１（Ａ）に示す光透過性基板５０は、電気光学装置を構成する一方の基板であり、例えばガラスなどの光透過性材料により構成されている。光透過性基板５０には、平行に延在する複数のデータ線電極５２が形成されている。複数のデータ線電極５２は、それぞれ配線電極５４を介して基板端部に配置された外部端子５６にそのまま延在形成されて接続されている。データ線電極５２、配線電極５４、および外部端子５６は、ＩＴＯなどの光透過性導電材料で構成されている。以下、データ線電極５２と導通する複数の外部端子５６を総称する場合には、それらを「第１の外部端子群５８」と称す。
【００２５】
光透過性基板５０の端部（張出し部）には、更に、外部端子５６と並んで複数の外部端子６０が形成されている。外部端子６０も、データ線電極５２や配線電極５４と同様にＩＴＯなどの光透過性導電材料で構成されている。以下、複数の外部端子６０を総称する場合には、それらを「第２の外部端子群６２」と称す。
【００２６】
第１の外部端子群５８及び第２の外部端子群６２は、ともに光透過性基板５０の端部（張出し部）の同じ基板辺に沿ってに並んで配列されている。
【００２７】
図１（Ｂ）に示す光透過性基板６４は、上記の光透過性基板５０と対向して配置されシール材８２を介して貼り合わされる他方の基板である。光透過性基板６４も上記の光透過性基板５０と同様に、例えばガラスなどの光透過性材料により構成されている。光透過性基板６４には、平行に延在する複数の走査線電極６６が形成されている。複数の走査線電極６６は、それぞれ配線電極６８を介して基板端部に配置された接続端子７０に接続されている。走査線電極６６、配線電極６８、および接続端子７０は、ＩＴＯなどの光透過性導電材料で構成されている。以下、走査線電極６６と導通する複数の接続端子７０を総称する場合には、それらを「接続端子群７２」と称す。
【００２８】
以下、本実施形態の電気光学装置が、パッシブマトリクス方式の液晶装置である場合を例に採って説明する。
【００２９】
図２は、本発明の実施形態である液晶装置の断面図を示す。尚、図２には、光透過性基板５０および６４を、それぞれ図１（Ａ）および図１（Ｂ）に示すII−II直線電極に沿って切断することで得られる断面が示されている。
【００３０】
図２に示す如く、光透過性基板５０のデータ線電極５２は、絶縁膜７４および配向膜７６により覆われている。同様に、光透過性基板６４の走査線電極６６も、絶縁膜７８および配向膜８０により覆われている。配向膜７６および８０には、ラビング処理により、互いに直交する向きの配向溝が形成されている。
【００３１】
光透過性基板５０および６４は、配向膜７６，８０に被服されるデータ線電極５２と走査線電極６６とが互いに直交する状態で向き合うように対向して配置される。それらの基板５０および６４は、上記の状態で、シール材８２および異方性導電膜８３を介して互いに貼り合わされている。
【００３２】
図１に示す如く、シール材８２は、液晶注入用の開口部８４を残して、光透過性基板５０および６４の周縁部に環状に形成される。上述した第１の外部端子群５８は、個々の外部端子５６の先端部が、シール材８２に囲まれる領域（以下、この領域を便宜上「液晶注入領域８６」と称す）の外部に所定長だけ延在するように設計されている。また、上述した第２の外部端子群６２、および接続端子群７２は、光透過性基板５０および６４が貼り合わされた際に、個々の外部端子６０が、液晶注入領域８６の外側で個々の接続端子７０と対向するように設計されている。
【００３３】
異方性導電部材である異方性導電膜（Anisotropic Conductive Film/ACF）８３は、図１に示す如く、液晶注入領域８６の外側において、外部端子５６および６０の露出部分の全面、および接続端子７０の露出部分の全面を覆うように、シール材８２と密着した状態に形成される。換言すると、異方性導電膜８３は、図示しない加圧ツールにより加熱圧着されることで、各部での導通が図られるとともに樹脂が溶けて広がるため光透過性基板５０の張出し部の端面からシール材８２までの領域を覆い、かつ、光透過性基板６４の張出し部の端面からはみ出す状態に形成される。
【００３４】
異方性導電膜（Anisotropic Conductive Film/ACF）８３は、熱可塑接着剤（樹脂）中にＮｉ、ハンダ等の金属粒子を分散させたもの、プラスチックに金属メッキを施し、弾性をもたせた粒子を分散させたもの等を有して構成され、所定方向の導通のみを許容する導電膜であり、本実施形態では、図２における上下方向の導通、すなわち接続端子群７２と第２の外部端子群６２との導通が許容されるように用いられている。このような異方性導電膜８３によれば、液晶注入領域８６の外側において、第１および第２の外部端子群５８，６２、および接続端子群７２が大気に露出するのを確実に防止すると共に、接続端子７０のそれぞれに適宜に対応して、一つずつ外部端子６０を導通させることができる。
【００３５】
図２に示す如く、２枚の光透過性基板５０および６４の間には、両者の間隔を一定とするためにビーズ状又はプラスチックボールのようなスペーサ（ギャップ材）８８が散布されている。シール材８２で囲まれる液晶注入領域８６には、ねじれネマティック液晶（ＴＮ液晶）９０（以下、単に「液晶９０」と称す）が充填されている。尚、シール材８２の開口部８４（図１参照）は、液晶注入領域８６に液晶９０が充填された後、封止材で塞がれる。
【００３６】
光透過性基板５０には、異方性導電膜８３を介して、例えばＦＰＣ（Flexible Printed Circuit)基板等の外部基板９４が電気的に接続されている。外部基板９４には、第１および第２の外部端子群５８，６２に対応する導電層９６が形成されている。第１および第２の外部端子群５８，６２と導電層９６との間には、異方性導電膜８３により必要な導通が確保されている。
【００３７】
上記の構造によれば、光透過性基板５０に形成されている全てのデータ線電極５２、および光透過性基板６４に形成されている全ての走査線電極６６に対して、外部基板９４から所望の信号を供給することができる。従って、本実施形態の液晶装置によれば、外部基板９４上で液晶駆動用（ドライバ）ＩＣや電子部品を搭載したり、又は外部基板９４の先に液晶駆動用（ドライバ）ＩＣが電気的接続されて適当な駆動信号を発生して導電層９６を介して出力し、液晶装置の外部端子群５８，６２に入力されることで、表示画像に基づくデータ信号とデータ信号を行（ライン）毎に選択する走査信号が所定のタイミングで入力されるので任意のデータ線電極５２と任意の走査線電極６６とが交差する（重なる）部分に所望の電界を発生させ画像表示をすることができる。以下、上記の交差部分を「画素」と称す。
【００３８】
光透過性基板５０の表面（図２における下面）、および光透過性基板６４の表面（図２における上面）には、それぞれ互いに直交する偏光特性を有する偏光板９８，１００が配置されている。
【００３９】
本実施形態の液晶装置において、電界の発生していない画素では、液晶分子が光の直進を許容する状態を維持する（ノーマリーホワイト）。この場合、その画素の領域では、２枚の上下偏光板９８，１００の作用で光の透過が阻止される。一方、電界の発生している画素では、液晶分子が旋光性を示すため、光の透過が許容される。従って、本実施形態の液晶装置によれば、外部基板９４上で適当な駆動信号を発生することにより、個々の画素の状態を制御して所望の情報を表示することができる。
【００４０】
液晶装置を適性に動作させるためには、上記の如く、接続端子群７２と第２の外部端子群６２との間に必要な導通を確保し、かつ、第１および第２の外部端子群６２と外部基板９４の導電層９６との間に必要な導通を確保することが必要である。本実施形態において、それら２個所の導通が、何れも異方性導電膜８３により確保されている。
【００４１】
上述した２個所の導通を、別体に形成された２つの異方性導電膜を用いて確保する構造、すなわち図６に示す従来の構造においては、接続端子群７２と第２の外部端子群６２との導通を確保するために必要な領域と、第１および第２の外部端子群６２と外部基板９４との導通を得るために必要な領域との間に、種々のバラツキや生産技術上の制約などを考慮して、ある程度の間隔が要求される。その結果、接続端子７０や外部端子５６，６０の一部が大気に露出たり、或いは光透過性基板６４と外部基板９４との間に大きなスペースが形成されたりする不都合が生ずる。
【００４２】
これに対して、本実施形態の構造によれば、接続端子７０や外部端子５６，６０の露出部を完全に覆う単一の異方性導電膜８３で必要な導通の全てが確保されるため、それらの不都合の発生を回避することができる。つまり、上下基板に形成された各電極間の導通部（接続端子７０と外部端子７０の間）と、外部端子５６，６０と外部基板９４の導電層９６との導電接続部の両方に跨って同一の導通材（異方性導電膜８３）が配置されて兼用されている。このため、本実施形態の構造によれば、接続端子７０や外部端子５６，６０の表面が異方性導電膜８３によって被覆されるのでの外気に晒されることが無く電食を防止して、それらに優れた信頼性を付与することができると共に、光透過性基板６４と外部基板９４との間の間隔、すなわち液晶装置の表示に寄与しない領域である額縁領域を必要最小限に縮小して、同等の表示領域を確保した状態で液晶装置を小型化することができる。従って、液晶装置が搭載される様々な電子機器への組み込みが容易になるとともに電子機器自体の軽量化・小型化も同時に図ることができる。
【００４３】
〔第２の実施形態〕
次に、図３を参照して、本発明の実施の形態２について説明する。
【００４４】
図３は、本実施形態の電気光学装置が備える２枚の光透過性基板の平面図を示す。尚、図３において、図１に示す構成部分と同一の部分には、同一の符号を付して重複する説明を省略する。
【００４５】
本実施形態の電気光学装置は、上述したシール材８２に代えてシール材１０２を備える点を除き、実施の形態１の装置と同様の構成を有している。すなわち、本実施形態において、２枚の光透過性基板５０および６４は、異方性導電部材である異方性導電膜８３およびシール材１０２を介して互いに貼り合わされている。
【００４６】
図３に示す如く、シール材１０２は、異方性導電膜８３の側面に密着して、異方性導電膜８３と共に環状の形状を実現する用に形成されている。換言すると、本実施形態において、異方性導電膜８３は、２枚の光透過性基板５０，６４の間に液晶注入領域８６を形成するための一部として用いられている。
【００４７】
本実施形態の構造によれば、異方性導電膜８３の液晶注入領域８６側に、接続端子７０や外部端子５６，６０を大気に露出させる空間が形成されることはない。より具体的には、本実施形態の構造によれば、実施の形態１の構造よりも更に確実にシール材８２周辺の各電極を異方性導電膜８３で覆うことができるので、電食を確実に防止することができる。従って、本実施形態の電気光学装置によれば、実施の形態１の装置に比して、更に優れた信頼性を得ることができる。
【００４８】
〔第３の実施形態〕
次に、図４を参照して、本発明の実施の形態３について説明する。
【００４９】
図４は、本実施形態の電気光学装置が備える２枚の光透過性基板の平面図を示す。尚、図４において、図１または図３に示す構成部分と同一の部分には、同一の符号を付して重複する説明を省略する。
【００５０】
本実施形態の電気光学装置は、上述したシール材８２および異方性導電膜８３に代えてシール材１０４を備える点を除き、実施の形態１の装置と同様の構成を有している。すなわち、本実施形態においては、２枚の光透過性基板５０および６４がシール材１０４を介して互いに貼り合わされると共に、接続端子群７０と第１の外部端子群６２との導通、および第１および第２の外部端子群５８，６２と外部端子９４（図２参照）との導通がシール材１０４により確保される。
【００５１】
図４に示す如く、シール材１０４は、異方性導電膜８３を構成する異方性導電部材によって、図３に示すシール材１０２と異方性導電膜８３とを合わせたものとほぼ同じ形状となるように形成されている。このようなシール材１０４によれば、シール材１０２の機能と異方性導電膜８３の機能とを共に実現することができる。すなわち、上記の実施例１及び実施例２でシール材と異方性導電膜とが個別に設けられていたが、本実施例では更にシール材を異方性導電膜で形成することにより、基板上において同一工程で一体形成を行なうものである。また、基板の周辺を囲むシール材１０４が異方性導電膜で形成されていても両基板に形成された両方の電極にこのシール材１０４が挟まれない限り支障をきたすことはないため異方性導電膜での形成が可能である。また、上記のシール材１０４は、シール材１０２と異方性導電膜８３とを別個に形成する場合に比して簡単な工程で形成することができる。従って、本実施形態の構造によれば、実施の形態１または２の装置と同様の機能を有する装置を、より容易に実現することができる。
【００５２】
ところで、上記の各実施形態では、電気光学装置の一例として液晶装置を例示しているが、電気光学装置はこれに限定されるものではない。すなわち、本発明の技術は、エレクトロルミネッセンス（ＥＬ）を利用する光学装置、或いはプラズマディスプレー装置（ＰＤＰ）などに適用してもよい。
【００５３】
また、上記いずれの実施例においても、基板を光透過性基板としたがこれに限られず、また、形成される各種電極はＩＴＯ等の透明電極としたが、反射表示或いは半透過反射表示を目的としたアルミニウム（Ａｌ）等で形成された反射電極であってもよい。
【００５４】
〔電子機器の例〕
次に、図５を参照して以上詳細に説明した電気光学装置を備えた電子機器の実施の形態について説明する。
【００５５】
図５は、本発明の電気光学装置を搭載する情報端末機器１１０の斜視図を示す。情報端末機器１１０は、電話番号等の情報を表示する表示部１１２を備えている。表示部１１２は、本発明の電気光学装置により構成されている。表示部１１２を本発明の電気光学装置で構成することによれば、表示部１１２に優れた信頼性を付与し、かつ、情報端末機器１１０の小型化を促進することができる。
【００５６】
尚、本発明の電気光学装置は、上述した情報端末機器１１０の他に、例えば腕時計型電子機器、或いは電気光学式のテレビ等に搭載して用いることができる。
【図面の簡単な説明】
【図１】  本発明の実施の形態１の電気光学装置が備える２枚の光透過性基板の平面図である。
【図２】  本発明の実施の形態１の電気光学装置の断面図である。
【図３】  本発明の実施の形態２の電気光学装置が備える２枚の光透過性基板の平面図である。
【図４】  本発明の実施の形態３の電気光学装置が備える２枚の光透過性基板の平面図である。
【図５】  本発明に係る電気光学装置を搭載する情報端末機器の斜視図である。
【図６】  従来の電気光学装置の断面図である。
【符号の説明】
５０，６４  光透過性基板
５２  データ線電極
５６，６０  外部端子
５８  第１の外部端子群
６２  第２の外部端子群
６６  走査線電極
７０  接続端子
７２  接続端子群
８２；１０２；１０４  シール層
８３  異方性導電膜
８６  密封空間
９４  外部基板
９６  導電層
１１０  情報端末機器
【図１】
0003646557.tif 000002
【図２】
0003646557.tif 000003
【図３】
0003646557.tif 000004
【図４】
0003646557.tif 000005
【図５】
0003646557.tif 000006
【図６】
0003646557.tif 000007